(57)【要約】【解決手段】ペンダント形態の遺骨収納具であって、収納具本体１内には空洞部２を形成するとともに、空洞部２内には遺骨粉５，…を粘土６中に練り込んで整形、焼結して形成された整形体７を転動可能に収納し、更に収納具本体１の裏面にはシリアルナンバー等の刻印部４を設けた遺骨収納具。【効果】空洞部内を整形体が転動することにより発する振動音を聞くことにより遺族や親しかった人は故人を偲ぶことができ、寂しい気持ちを癒すことができる。また遺骨が粘土に包まれて収納されているため、遺骨を土（粘土）に返すという古来からの思想にも合致し、遺族等にも安心感を与えることができる。【選択図】図３
2008125858.tif 000002
【特許請求の範囲】
【請求項１】
遺骨粉乃至遺骨片を粘土中に練り込んで整形した後、焼結して整形体を形成すると共に、収納具本体内には空洞部を形成し、上記整形体を上記空洞部内で転動可能に収納した特徴とする遺骨収納具。
【請求項２】
粘土中に磁器粉末を混ぜて遺骨粉乃至遺骨片を練り込んだ請求項１記載の遺骨収納具。
【請求項３】
収納具本体の表面にシリアルナンバー等の刻印部を形成した請求項１記載の遺骨収納具。
【請求項４】
収納具本体がペンダント、キーホルダー等の装身具である請求項１記載の遺骨収納具。
【発明の詳細な説明】
【技術分野】
【０００１】
この発明は、内部で振動音を発するようにした遺骨収納具に関するものである
【背景技術】
【０００２】
従来、慣習上故人の遺骨は墓のカロート室に入れたり、寺院に納骨することが行われてきたが、遺族等においては日常的に気軽に遺骨を身に付けて持ち運びたいとの希望が強く、この目的のために遺骨収納機能付ペンダント（実用新案登録第3099406号公報）、遺骨入りアクセサリー（実用新案登録第3117404号公報）、装身具（特開平8-164175号公報、特開2005-6705公報）、お香及び遺骨、遺灰等を密閉した装飾品（実用新案登録第3114560号公報）、遺骨を鋳込んだ純金製装飾品（実用新案登録第3077261号公報）等が提案されている。
【０００３】
これらのもののうち、特開2005-6705公報に開示される装身具を例にとってその構造を説明すれば、宝石又は貴金属を素材として形成される装飾部と、該装飾部に穿設され、遺骨等を収納可能な孔部空間を有し、該孔部に遺骨等を収容した状態で樹脂を充填して硬化させて孔部を閉塞するものである。
【０００４】
即ち、これにより遺骨等が樹脂に内包されると共に、孔部が隙間なく閉塞され、その結果孔部の空間に水が侵入することがなく、入浴したり、プールに入るとき等も外す必要がなく、肌身離さず装着することが出来る。更に遺骨等は樹脂に内包されているため、装着者の動きに伴って遺骨等が振動し、孔部の内孔面と衝突し、破損する可能性が少ないとするものである。
【特許文献１】特開平8-164175号公報、特開2005-6705公報、実用新案登録第3114560号公報、実用新案登録第3117404号公報、実用新案登録第3099406号、実用新案登録第3077261号公報
【発明の開示】
【発明が解決しようとする課題】
【０００５】
このような従来の装身具では、樹脂を充填して硬化させて孔部を閉塞するため、装着者の動きに伴って樹脂体自体が孔部の内孔面に衝突して振動音を発することもない。しかし、遺族においては「コトコト」という振動音を聞くことにより身近に故人を感じて故人を偲ぶことができ、寂しい気持ちを癒すことができるとする人も多い。
【課題を解決するための手段】
【０００６】
この発明は、上記実情に鑑み、遺骨粉乃至遺骨片を粘土中に練り込んで整形した後、焼結して整形体を形成すると共に、収納具本体内には空洞部を形成し、上記整形体を上記空洞部内で転動可能に収納した遺骨収納具を提案するものである。
【０００７】
即ち、この発明では遺骨粉乃至遺骨片は粘土中に練り込んで整形、焼結して整形体とするため、空洞部内での転動時においても破損することはない。
【０００８】
ここで、粘土中に練り込まれる遺骨粉乃至遺骨片としては、親族や親しかった人或いは生前可愛がっていたペットの遺骨粉乃至遺骨片等が考えられる。
【０００９】
また、整形体の形状としては、空洞部内で転動し易いような形状、例えば球状であることが好ましい。
【００１０】
また、焼結温度は十分な強度の整形体とするために、1250℃〜1300℃が好ましい。
【００１１】
更に、粘土だけでは十分な強度の整形体を形成できない場合には、粘土中に磁器粉末を混ぜ込めば、十分に強度のある整形体を形成できる。
【００１２】
以上の構成において、この発明に係わる遺骨収納具を振ると、整形体が空洞部内を転動してその内壁面と衝突することにより、例えば「コトコト」という振動音を発する。
【００１３】
これを聞くことにより、故人が自分から存在をアピールしているようにも思えて、より遺族や親しかった人は故人を偲ぶことができ、寂しい気持ちを癒すことができるのである。
【００１４】
なお、この発明に係わる遺骨収納具は遺族等にとって特別な意味があり、「世の中に一つしかないもの」の証として収納具本体の表面にシリアルナンバー等の刻印部を設けるようにしてもよい。
【００１５】
また、この発明に係わる遺骨収納具は置物形態でもよいが、ペンダント、キーホルダー等の装身具形態にすることにより旅行等に身に付けていくと故人と一緒に旅行した気分を味わうことができる。
【００１６】
なお、この発明に適用できる上記以外の装身具を列挙すれば、ペンダントトップ、指輪、イヤリング、ピアス、ネックレス、ブレスレット、チョーカー、ブローチ、タイピン、カフス、スカーフ止め、ループタイ、メガネチェーン、ヘアアクセサリー、バックル等を挙げることができる。
【発明の効果】
【００１７】
以上要するに、この発明によれば遺骨粉乃至遺骨片を粘土中に練り込んで整形、焼結するため、整形体の破損を防ぐことができ、また空洞部内を整形体が転動することにより発する振動音を聞くことにより遺族や親しかった人は故人を偲ぶことができ、寂しい気持ちを癒すことができる。
【００１８】
また、昔から「人は土に帰る」と言われるが、この発明では遺骨が粘土に包まれて収納されているため、遺骨を土（粘土）に返すという古来からの思想にも合致しており、遺族等にも安心感を与えることができる。
【発明を実施するための最良の形態】
【００１９】
ペンダント形態の遺骨収納具であって、遺骨粉乃至遺骨片を粘土中に練り込んで整形、焼結して整形体を形成するとともに、収納具本体内には空洞部を形成し、上記整形体を上記空洞部内で転動可能に収納した遺骨収納具。
【実施例１】
【００２０】
以下、この発明を図示の実施例に基づいて詳細に説明すると、１はペンダント形態の遺骨収納具本体であり、本体１は２つ割れにしてその内部には空洞部２を形成し、またその表面及び裏面には装飾が施され、裏面にはシリアルナンバー等の刻印部３が設けられ、更にその頂部には首に掛けるためのチェーン４が取り付けられている。
【００２１】
一方、親しかった故人の遺骨粉５は粘土６中に練り込み、この粘土は球状に整形し、その後1250℃で焼結して整形体７を形成する。
【００２２】
このように、遺骨粉５を練り込んだ整形体７はに空洞部２内に収納し、２つ割れの接合面を接着して本体１を閉じる。
【００２３】
以上のような構成において、空洞部２は整形体７に比べて十分に大きく、整形体７は空洞部２内に転動可能に収納される。
【００２４】
したがって、本体１を振ると、整形体７は空洞部２内を転動し、空洞部２の内壁面と衝突して「コトコト」という振動音を発することになる。
【００２５】
これを聞くことにより装着者は故人が自分から存在を訴えているようにも思えて、より遺族や親しかった人は故人を偲ぶことができ、寂しい気持ちを癒すことができるのである。
【００２６】
遺骨粉５を練り込んだ粘土６を固く焼結させて整形体７を形成するため、整形体７が空洞部２の内壁面に衝突しても、破損されることはない。
【００２７】
なお、この実施例では遺骨粉５を粘土６中に練り込んで整形体７を形成したが、図４に示すように、遺骨片５ａを粘土６中に練り込んで整形体７を形成してもよい。
【産業上の利用可能性】
【００２８】
以上要するに、この発明によれば故人を土に返すことにより安心感を持つことができ、「コトコト」という振動音を聞くことにより故人をより身近に感じて心を癒すことができるペンダント形態にして遺骨収納具を提供できる。
【図面の簡単な説明】
【００２９】
【図１】この発明の一実施例を示すペンダント形態の遺骨収納具の正面図
【図２】同上の裏面図
【図３】同上のＡ−Ａ線断面図
【図４】他の実施例における同上のＡ−Ａ線断面図
【符号の説明】
【００３０】
１はペンダント形態の遺骨収納具本体
２は空洞部
３はシリアルナンバー等の刻印部
４はチェーン
５，…は遺骨粉
５ａは遺骨片
６は粘土
７は整形体
【図１】
2008125858.tif 000003
【図２】
2008125858.tif 000004
【図３】
2008125858.tif 000005
【図４】
2008125858.tif 000006